(57)【要約】      （修正有）【課題】複数の潤滑定位効果付けの穴開け用アルミ質蓋板を提供する。【解決手段】アルミ基材層１上に塗布され、エポキシ樹脂を６０％〜９８％で、溶剤や水と、分子量が４０万〜８０万の２％〜３０％のカルボワックスに添加してなる第１の混合物層２と、第１の混合物層上に塗布され、分子量が２万〜３０万である７０％〜９８％のカルボワックスと、０．５％〜１０％のエポキシ樹脂と、０．５％〜５％のポリプロピルアルコールオキシドと、そして、溶剤や水からなる第２の混合物層３と、第２の混合物層上に塗布され、分子量が１０００〜１００００で、６０％〜９８％のカルボワックスと、０．３％〜２％のシアネートと、１％〜１０％のグリセリンと、そして、溶剤や水からなる第３の混合物層４とが含有されることを特徴とする。【選択図】図１
0003138943.tif 000002
【実用新案登録請求の範囲】
【請求項１】
アルミ基材層と、
該アルミ基材層上に塗布され、エポキシ樹脂を６０％〜９８％で、溶剤や水と、分子量が４０万〜８０万の、２％〜３０％のカルボワックスに添加してなる第１の混合物層と、
該第１の混合物層上に塗布され、分子量が２万〜３０万である７０％〜９８％のカルボワックスと、０．５％〜１０％のエポキシ樹脂と、０．５％〜５％のポリプロピルアルコールオキシドと、そして、溶剤や水からなる第２の混合物層と、
該第２の混合物層上に塗布され、分子量が１０００〜１００００で、６０％〜９８％のカルボワックスと、０．３％〜２％のシアネートと、１％〜１０％のグリセリンと、そして、溶剤や水からなる第３の混合物層と、
が含有される、ことを特徴とする複数の潤滑定位効果付けの穴開け用アルミ質蓋板。
【請求項２】
該アルミ基材層の厚さが、５０μｍ〜２００μｍであることを特徴とする請求項１に記載の複数の潤滑定位効果付けの穴開け用アルミ質蓋板。
【請求項３】
該第１の混合物層が、第１の硬度を有し、該第２の混合物層が、第２の硬度を有し、該第３の混合物層が、第３の硬度を有することを特徴とする請求項１に記載の複数の潤滑定位効果付けの穴開け用アルミ質蓋板。
【請求項４】
該第１の硬度は該第２の硬度よりも硬く、該第２の硬度は該第３の硬度よりも硬いことを特徴とする請求項３に記載の複数の潤滑定位効果付けの穴開け用アルミ質蓋板。
【考案の詳細な説明】
【技術分野】
【０００１】
本考案は、プリント配線基板の穴開けに関し、特に、複数の潤滑定位効果付けの穴開け用アルミ質蓋板に関する。
【背景技術】
【０００２】
一般のプリント配線基板の穴開け加工方法は、プリント配線基板であるベース層に、更に、一層のアルミ蓋板を形成するものを利用する。そのため、穴開けを行う時、ドリル先が、先に、アルミ蓋板をドリル（穿孔）した後、プリント配線基板をドリルする。これにより、異なる大きさの口径をドリルして、ユーザーが、必要に応じて選択できる。
【０００３】
しかしながら、従来の穴開けの時、該ドリルが、まず、直接に、該アルミ蓋板をドリルし、この時、該ドリル先が、直接に該アルミ蓋板に接触するため、該ドリル先が磨耗するか折れる恐れがある。
【０００４】
また、該アルミ蓋板は、比較的に硬く、何れかのバファ層がないため、該ドリル先が、該アルミ蓋板をドリルする時、穴位置の精確度が低下して、穴壁の粗さが大きくなる。
【０００５】
以上から分かるように、上記の従来のプリント配線基板の穴開け加工方法は、実用上、不便や欠点があるため、改善しなければならない。
【０００６】
そのため、本考案者は、上記の欠点を改善するため、長年の関係経験に基づいて、慎重に観察して研究し、また、学理を応用して、設計が合理的で、有効に上記の欠点を改善できる本考案を提案した。
【考案の開示】
【考案が解決しようとする課題】
【０００７】
本考案の主な目的は、アルミ基材層上に形成された第１の混合物層上に、第２の混合物層が形成され、該第２の混合物層上に、第３の混合物層が形成される複数の潤滑定位効果付けの穴開け用アルミ質蓋板を提供する。該第１と第２及び第３の混合物層を該アルミ基材層のバファ層とするため、従来のドリル先が直接に該アルミ蓋板をドリルする時の諸欠点を改善できる。
【０００８】
本考案の他の目的は、該ドリル先が磨耗するか折れる恐れを低減できる複数の潤滑定位効果付けの穴開け用アルミ質蓋板を提供する。
【０００９】
本考案の更の他の目的は、穴位置の精確度が低下して、穴壁の粗さが大きくなることを防止できる複数の潤滑定位効果付けの穴開け用アルミ質蓋板を提供する。
【課題を解決するための手段】
【００１０】
本考案は、上記の目的を達成するため、複数の潤滑定位効果付けの穴開け用アルミ質蓋板であり、アルミ基材層と、該アルミ基材層上に塗布され、エポキシ樹脂を６０％〜９８％で、溶剤や水と、分子量が４０万〜８０万の２％〜３０％のカルボワックスに添加してなる第１の混合物層と、該第１の混合物層上に塗布され、分子量が２万〜３０万である７０％〜９８％のカルボワックスと、０．５％〜１０％のエポキシ樹脂と、０．５％〜５％のポリプロピルアルコールオキシドと、そして、溶剤や水からなる第２の混合物層と、該第２の混合物層上に塗布され、分子量が１０００〜１００００で、６０％〜９８％のカルボワックスと、０．３％〜２％のシアネートと、１％〜１０％のグリセリンと、そして、溶剤や水からなる第３の混合物層と、が含有される。
【考案を実施するための最良の形態】
【００１１】
以下、図面を参照しながら、本考案に係わる技術や手段及び効果について、詳しく説明するが、本考案は、それによって制限されることがない。
【００１２】
図１は、本考案に係わる複数の潤滑定位効果付けの穴開け用アルミ質蓋板の断面図であり、アルミ基材層１と、第１の混合物層２と、第２の混合物層３と、第３の混合物層４とが備えられる。また、該アルミ基材層１は、厚さが、５０μｍ〜２００μｍである。該第１の混合物層２は、該アルミ基材層１上に塗布され、エポキシ樹脂を６０％〜９８％で、溶剤や水と、分子量が４０万〜８０万の、２％〜３０％のカルボワックスに添加してなる混合物である。該第２の混合物層３は、分子量が２万〜３０万である７０％〜９８％のカルボワックスと、０．５％〜１０％のエポキシ樹脂と、０．５％〜５％のポリプロピルアルコールオキシドと、そして、溶剤や水からなる混合物である。
【００１３】
該第３の混合物層４は、分子量が１０００〜１００００で、６０％〜９８％のカルボワックスと、０．３％〜２％のシアネートと、１％〜１０％のグリセリンと、そして、溶剤や水からなる混合物である。また、該第１の混合物層２が、第１の硬度を有し、該第２の混合物層３が、第２の硬度を有し、該第３の混合物層４が、第３の硬度を有する。該第１の硬度＞第２の硬度＞第３の硬度であり、そのため、該第１の混合物層２が比較的に硬く、その次が、該第２の混合物層３で、該第３の混合物層４が比較的に軟らかい。
【００１４】
本考案に係わる複数の潤滑定位効果付けの穴開け用アルミ質蓋板は、主として、アルミ基材層１を提供し、該アルミ基材層１上に第１の混合物層２を形成し、また、該第１の混合物層２上に第２の混合物層３を形成し、そして、該第２の混合物層３上に第３の混合物層４を形成する。該第１と第２及び第３の混合物層２、３、４を該アルミ基材層１のバファ層とするため、従来のドリル先が直接に該アルミ蓋板をドリルする時の諸欠点を改善できる。
【００１５】
本考案に係わる複数の潤滑定位効果付けの穴開け用アルミ質蓋板によれば、ドリル先が磨耗するか折れる恐れを低減でき、また、穴位置の精確度が低下して、穴壁の粗さが大きくなることを防止できる。
【００１６】
以上のように、本考案に係わる複数の潤滑定位効果付けの穴開け用アルミ質蓋板は、次の利点が得られる。
（１）該第１と第２及び第３の混合物層２、３、４を該アルミ基材層のバファ層とすること。
（２）ドリル先が磨耗するか折れる恐れを低減できること。
（３）穴位置の精確度が低下して、穴壁の粗さが大きくなることを防止できること。
【００１７】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１８】
【図１】本考案に係わる複数の潤滑定位効果付けの穴開け用アルミ質蓋板の断面図である。
【符号の説明】
【００１９】
１  アルミ基材層
２  第１の混合物層
３  第２の混合物層
４  第３の混合物層
【図１】
0003138943.tif 000003